(57)【要約】【課題】簡便に、効率的に、容易に、障子を開け閉めできる建具を提供することにあり、特に、障子を全開にした際に、外障子の最初の移動開始が容易な「内障子と外障子とから構成される建具」を提供すること。【解決手段】内障子１３と、縦框１４に凹状に設けられた引手２１を有する外障子１２とから構成される建具１１であって、全開にした際、該内障子１３と該外障子１２とが引き合わされて、該外障子の縦框１４と該内障子の縦框１５とが重なり合ったときに、該外障子１２の引手２１に手指を差し入れ易いように、該引手２１の手前部分に位置する該内障子の縦框１５の部分に切り込み２２を設けてなることを特徴とする建具。【選択図】図２
2015071889.tif 000002
【特許請求の範囲】
【請求項１】
内障子と、縦框に凹状に設けられた引手を有する外障子とから構成される建具であって、全開にした際、該内障子と該外障子とが引き合わされて、該外障子の縦框と該内障子の縦框とが重なり合ったときに、該外障子の引手に手指を差し入れ易いように、該引手の手前部分に位置する該内障子の縦框の部分に切り込みを設けてなることを特徴とする建具。
【請求項２】
上記内障子の縦框の切り込みが、該内障子の手前からは見え難いように、縦框の側面から奥面にかけて設けられている請求項１に記載の建具。
【請求項３】
上記内障子の縦框の切り込みが、縦方向に均一に略楕円柱側面状に設けられている請求項１又は請求項２に記載の建具。
【請求項４】
上記内障子の縦框の切り込みが、該切り込み内部から外部に向かって広がっているような略楕円球面状に設けられている請求項１又は請求項２に記載の建具。
【請求項５】
上記内障子の縦框の切り込みが、該縦框の前面から奥面に向かって該縦框を貫通して設けられている請求項１に記載の建具。
【請求項６】
上記内障子の縦框の切り込みの、縦框の奥面での開口部が、上記外障子の引手の形状と略同形又は該引手の形状より大きい形状である請求項１ないし請求項５の何れかの請求項に記載の建具。
【請求項７】
上記引手が、引手全体として、上記外障子の縦框の窪んだ部分に設けられ、全開にした際、該外障子の引手に手指を差し入れ易いように、該引手の手前の外障子の縦框の部分に空間を設けてなる請求項１ないし請求項６の何れかの請求項に記載の建具。
【請求項８】
外側窓枠に近接して内設される請求項１ないし請求項７の何れかの請求項に記載の建具。
【発明の詳細な説明】
【技術分野】
【０００１】
本発明は、内障子と引手を有する外障子とからなる建具に関し、更に詳しくは、外障子の引手に手指を差し入れ易いように、内障子の縦框に切り込みを設けてなる建具に関するものである。
【背景技術】
【０００２】
通常、障子から構成される建具は、内障子と外障子を有して障子２枚以上からなり、その少なくとも一方を敷居に沿って左右に移動させて、全閉にしたり、半開きにしたり、全開にしたりする。
通常、障子をあける際には、礼儀作法は別にして、内障子の縦框又は縦桟に手指を当てて内障子を移動させるか、外障子の縦框に設けられた引手に手指を差し入れて移動させるか、外障子の縦框又は縦桟に手指を当てて外障子を移動させる。
【０００３】
しかし、障子を全開にしたときには、内障子と外障子とが完全に引き合わされて、該外障子の縦框と該内障子の縦框とが重なり合ってしまう。その際、内障子の移動については、内障子の縦框も縦桟も手前側にあるので容易であるが、外障子の移動については、外障子の縦框又は縦桟に手指を当てられないので難しい。
【０００４】
すなわち、障子紙は、通常、障子の外側に貼られているため、手指を外障子の外側に回して、外障子の縦框又は縦桟に手指を当てようとしても、障子紙が邪魔をして当てられない。
また、外障子の縦框に凹状に設けられている引手に手指を当てようとしても、全開になっていて内障子と外障子とが完全に引き合わされていると、外障子の縦框と内障子の縦框とは丁度重なり合っているので、手前側の内障子の縦框が邪魔をして、外障子の引手に手指を差し入れることができない。
【０００５】
従って、通常は、内障子の縦框と外障子の縦框との隙間に、親指又は人差し指若しくは中指を挿入して、外障子の縦框を掴み、指に相当な力を入れて、外障子を移動させることになる。又は、内障子と外障子とが完全に引き合わされて、該外障子の縦框と該内障子の縦框とが丁度重なり合ってしまわないように、すなわち障子を全開にしないように気をつかわざるを得なかった。
【０００６】
このことを解決するために、図６に示したように、障子を全開にしたときに、外障子の縦框と内障子の縦框との間に、引き残し（出寸法）をもたせるように工夫して、該引き残し部分を利用して（該引き残し部分から）、外障子の引手に手指を差し入れる方法が知られている。
しかしながら、この方法だと、全開にした際の有効開口横寸法が該引き残し分狭くなるという問題点があった。
また、障子を全開にした際に、該引き残しが邪魔をして、その外側にある、網戸、アルミサッシ等のサッシ、雨戸等の外側窓枠自体、又は、該外側窓の枠に設けられた鍵等に指が掛かり難く、外側窓枠を開け難い、該外側窓の鍵を開け難い等という問題点もあった。
【０００７】
引用文献１には、障子において隣り合った２本の桟の間に納まる程度の長さの棒状部材により構成され、該棒状部材の一側面に人の手指の先を収容する程度の溝が形成されてなる障子用引手が開示されている。
しかしながら、このような棒状部材によって構成された障子用引手は、障子への設置が面倒であり、設置された桟が傷み易く、外観が見苦しく、また、わざわざ購入する必要があるといった問題点があった。
【０００８】
そこで、内障子と引手を有する外障子とからなる建具において、簡便に、効率的に、容易に、外障子を開け閉めできる建具が望まれていた。
特に近年、外障子の更に外側に、網戸、アルミサッシ等のサッシ、雨戸等の外側窓枠が設けられた構造の窓（出入り可能な掃き出し窓も含む）が多く、その場合、尚更、外障子が閉め難いため、簡便に、効率的に、容易に、外障子を開け閉めできる建具が特に望まれていた。
【先行技術文献】
【特許文献】
【０００９】
【特許文献１】特開２００７−０７７６７１号公報
【発明の概要】
【発明が解決しようとする課題】
【００１０】
本発明は上記背景技術に鑑みてなされたものであり、その課題は、簡便に、効率的に、容易に、障子を開け閉めできる建具を提供することにあり、特に、障子を全開にした際に、外障子の最初の移動開始が容易な「内障子と外障子とから構成される建具」を提供することにある。
【課題を解決するための手段】
【００１１】
本発明者は、上記の課題を解決すべく鋭意検討を重ねた結果、障子を全開にした際、外障子の縦框に凹状に設けられた引手に手指を差し入れ易いように、内障子の縦框の部分に切り込みを設ければ、上記課題が解決できることを見出して、本発明を完成するに至った。
【００１２】
すなわち、本発明は、内障子と、縦框に凹状に設けられた引手を有する外障子とから構成される建具であって、全開にした際、該内障子と該外障子とが引き合わされて、該外障子の縦框と該内障子の縦框とが重なり合ったときに、該外障子の引手に手指を差し入れ易いように、該引手の手前部分に位置する該内障子の縦框の部分に切り込みを設けてなることを特徴とする建具を提供するものである。
【発明の効果】
【００１３】
本発明の建具によれば、前記問題点と上記課題を解決し、内障子と、縦框に凹状に設けられた引手を有する外障子とから構成される建具において、障子を全開にして、該内障子と該外障子とがほぼ完全に引き合わされて、該外障子の縦框と該内障子の縦框とが重なり合ったときであっても、該外障子の引手に手指を差し入れ易くなり、簡便に、効率的に、容易に、外障子を全開の状態から移動開始させて閉め易くすることができる。
【００１４】
また、外障子の縦框に設けられた引手の手前部分に位置する該内障子の縦框の部分に切り込みを設けるだけでよいので、既存の内障子に単に後から切り込みを入れることもでき、内障子又は「内障子と外障子からなる建具」全体を買い替える必要もなく、また、新たな部品を取り付ける必要もないので、極めて安価で、簡便に、本発明の建具に改良することが可能である。
また、比較的丈夫な縦框に切り込みを設け、機械的に弱い縦桟や横桟には手を加えないので、障子を傷めたり壊したりする心配がない。
【００１５】
障子が全開の際でも、内障子の縦框と外障子の縦框との狭い隙間に、親指又は人差し指若しくは中指等を挿入して、外障子の縦框を掴み、指に相当な力を入れて、外障子を移動させる必要がなくなり、指を痛めることもなく、指に力のない人でも容易に障子を、全開状態から閉め始めることができる。
また、本発明の建具によれば、内障子の縦框と外障子の縦框との狭い隙間に指を入れる必要がないので、内障子と外障子の間が狭くなるように、障子の敷居等（の溝間）を設計することもできる。
また、内障子と外障子とが完全に引き合わされて、該外障子の縦框と該内障子の縦框とが丁度重なり合ってしまわないように、すなわち、障子を全開にしないことに気をつかう必要がなくなる。
【００１６】
前記したような（図６に示したような）建具に見られるように、全開にした際の有効開口横寸法が、該引き残し（出寸法）分狭くなるという問題点もなく、更に、全開にした際に、該引き残し部分が邪魔をして、外側の「網戸、アルミサッシ等のサッシ、雨戸等の外側窓枠、又は、該外側窓の枠に設けられた鍵」等を操作し難いという問題点もない。
【００１７】
更に、上記内障子の縦框の切り込みを、縦框の前面ではなく、縦框の側面から奥面にかけて設けることによって、該切り込みが、該内障子の手前から（障子の内側から）見え難いので、建具としての外観を損ねることがない。
特に、障子としての本来の形状を、少なくとも外観からはあまり変化させていないので、障子の伝統的な形態も守られることになる。
【００１８】
また、上記内障子の縦框の切り込みを、図２又は図４に示したように、縦框の側面から奥面にかけて、該切り込み内部から外部に向かって広がっているような略楕円球面状に設ければ、より手指を引手に差し入れ易くなり、美的にも問題がない。また、手指の差し入れ易さを保ちつつ、切り込み部分の体積を小さくできるので、該切れ込みにより内障子の縦框が強度的に劣る問題がない。
【００１９】
更に、図６に示したように、縦框に凹状に設けられた引手が、引手全体として窪んだ部分に設けられていれば、本発明の建具を全開にした際、該引手の手前部分の外障子の縦框の部分に空間ができるので、その空間にも手指が差し入れられ、更に、より手指を引手に差し入れ易くなる。
また、「内障子の縦框に設けられた切り込み部分」と、上記した「外障子の引手の前に設けられた窪み（引手の手前部分の空間）」との合体空間に手指が差し入れられればよいので、内障子の縦框に設けられる切り込みの体積を小さくでき、内障子の縦框が強度的に劣ることがない。
【００２０】
特に、本発明の建具が、網戸、アルミサッシ等のサッシ、雨戸等の外側窓枠が設けられた構造の窓（出入り可能な掃き出し窓も含む）等（以下、本発明において、これらを単に「外側窓枠」と略記する）の内側に設けられている場合には、障子を全開にした際に、外障子と内障子との間だけではなく、外障子と該外側窓枠との間にも手指を挿入し難く、その場合、極めて外障子が閉め難い（図１（ｂ）参照）。
本発明によれば、該外側窓枠がある場合であっても、上記した問題点が解決されて、簡便に、効率的に、容易に、隙間に指を挿入する必要もなく、指に力をいれる必要もなく、外障子を全開の状態から閉め始めることが可能となる。
【図面の簡単な説明】
【００２１】
【図１】外側窓枠に近接して内設されている従来の建具の外障子と内障子とを示す写真である。（ａ）全開ではなく、内障子と外障子とが完全には引き合わされていない状態を示す。  （ｂ）全開であり、内障子と外障子とが引き合わされて、それぞれの縦框が重なっている状態を示す。
【図２】本発明の建具であって、全開であり、内障子と外障子とが引き合わされて、それぞれの縦框が重なっている状態を示す概略斜視図である。
【図３】内障子の縦框の切り込みが、縦方向に均一に略楕円柱側面状に設けられている形態を示す概略図である。（ａ）外障子がない状態で外側から見た斜視図  （ｂ）切り込み部分の縦框のＡ−Ａ矢視横断面図
【図４】内障子の縦框の切り込みが、切り込み内部から外部に向かって広がっているような略楕円球面状に設けられている形態を示す概略図である。（ａ）外障子がない状態で外側から見た斜視図  （ｂ）切り込み部分の縦框のＢ−Ｂ矢視横断面図
【図５】内障子の縦框の切り込みが、縦框の前面から奥面に向かって縦框を貫通して設けられている形態を示す概略図である。（ａ）外障子がない状態で外側から見た斜視図  （ｂ）切り込み部分の縦框のＣ−Ｃ矢視横断面図
【図６】外障子の縦框の引手の手前部分に空間を設け、引手がその窪みの底に設けられている形態を示す概略図である。（ａ）内障子がない状態で内側から見た斜視図  （ｂ）窪み部分の縦框のＤ−Ｄ矢視横断面図
【図７】障子を全開にしたときに、外障子の縦框と内障子の縦框との間に、引き残し（出寸法）をもたせるようにした従来の方法の形態を示す概略図である。
【発明を実施するための形態】
【００２２】
以下、本発明について説明するが、本発明は、以下の具体的形態に限定されるものではなく、技術的思想の範囲内で任意に変形することができる。
【００２３】
本発明は、内障子と、縦框に凹状に設けられた引手を有する外障子とから構成される建具に関するものである。
図１（ａ）、（ｂ）に、従来の切り込みのない内障子１３、外障子１２、引手２１、縦框等の一例を示す。図１（ａ）は、外障子１２が完全には引き合わされていない状態を示し、図１（ｂ）は、内障子１３と外障子１２とが引き合わされて、それぞれの縦框が重なっている状態を示す。
ここで、「内障子」とは、建具１１が少なくとも２つの障子を有している場合、部屋側又は内側に引かれる障子を言い、障子が敷居の上を移動する場合は、敷居の内側の溝を移動する障子を言う。「外障子」とは、建具１１が少なくとも２つの障子を有している場合、廊下側、庭側又は外側に引かれる障子を言い、障子が敷居の上を移動する場合は、敷居の外側の溝を移動する障子を言う。
【００２４】
本発明の建具は、少なくとも内障子１３と外障子１２の２つの障子を有するが、３つ以上の障子を有していてもよい。その場合は、当該障子から見て、部屋側又は内側に引かれる障子が少なくとも１つあれば、「外障子」という。また、当該障子から見て、廊下側、庭側又は外側に引かれる障子が少なくとも１つあれば、「内障子」という。従って、外障子１２でもあり、内障子１３でもある障子が存在してもよい。
【００２５】
外障子１２には、通常、該外障子の縦框１４に凹状の引手２１が存在する。障子を開け閉めする場合、通常は、外障子１２のその「凹状の引手」に手指を差し入れ、外障子１２を左右に移動する。
その際、例えば、図１（ｂ）に示したように、外障子１２を全開にして、内障子１３と完全に引き合わせて、両障子の縦框が重なってしまうと、外障子の縦框１４にある「凹状の引手」に手指を差し入れることができなくなる。
【００２６】
本発明の建具は、そのようなときに、該外障子１２の引手２１に手指を差し入れ易いように、少なくとも該引手２１の手前部分に位置する該内障子の縦框１５の部分に切り込み２２を設けてなる。
図２に、本発明の建具であって、外障子１２を全開にし、内障子１３と外障子１２とが引き合わされて、それぞれの縦框が重なっている状態を示す。
内障子１３に切り込み２２を設けることによって、両障子の縦框が完全に重なった場合、図１（ｂ）のような状態とは異なり、図２のように、外障子の縦框１４にある「凹状の引手」に手指を差し入れることができ、容易に外障子１２を閉め始めることができる。
【００２７】
本発明の建具は、縦框１５に切り込み２２の入った内障子１３に特徴があるので、本発明は、「内障子１３と、縦框１４に凹状に設けられた引手２１を有する外障子１２とから構成される建具１１において、全開にした際、該内障子１３と該外障子１２とが引き合わされて、該外障子の縦框１４と該内障子の縦框１５とが重なり合ったときに、該外障子１２の引手２１に手指を差し入れ易いように、該引手２１の手前部分に位置する該内障子の縦框１５の部分に切り込み２２を設けてなることを特徴とする内障子。」でもある。
【００２８】
内障子１３に設けられる切り込み２２の大きさは、外障子１２の引手２１に手指を差し入れ易いようになっており、少なくとも、外障子１２の引手２１の手前部分の何処かに位置する該内障子の縦框１５の部分でありさえすればよく、内障子１３の切り込み２２は、外障子１２の引手２１の全ての部分の手前部分に在る必要はない。すなわち、凹状に設けられた引手２１が縦に長いとき等に、該引手２１の一部の手前部分にだけ、切り込み２２があってもよい。従って、手指が１本〜２本程度がちょうど入る程度の縦の長さの切り込み２２であってもよい。
【００２９】
また、逆に、引手２１が縦に短いとき等に、該引手２１の手前部分を含めて、引手２１のない部分の手前部分にも、切り込み２２があってもよい。「引手２１の手前部分に在る切り込み２２」に連続して切り込み２２があってもよい。従って、例えば、内障子の縦框１５のほぼ全長に亘って、切り込み２２があってもよい。
【００３０】
内障子１３に設けられる切り込み２２の大きさは、例えば、図２に示したように、外障子１２の引手２１の大きさよりやや大きく、引手２１が全て見える大きさであることが好ましく、引手２１の大きさと略同一であることが特に好ましい。
内障子の縦框１５の切り込みの、縦框の奥面での開口部２５は、上記外障子１２の引手２１の形状と略同形又は該引手２１の形状より大きい形状であることが好ましい。
内障子１３の「縦框の奥面」とは、外障子１２に面している側を言い、縦框の奥面１６に切り込みの開口部２５があることによって、引手２１が見え、引手２１に手指を差し入れることができる。
【００３１】
切り込み２２の縦框の奥面での開口部２５の具体的な大きさは、特に限定はないが、縦方向は、通常は１４ｍｍ以上「障子の縦框の全長」以下、好ましくは１７ｍｍ〜１００ｍｍ、より好ましくは４０ｍｍ〜８０ｍｍ、特に好ましくは５０ｍｍ〜７０ｍｍ、更に好ましくは５５ｍｍ〜６０ｍｍである。
上記長さであると、引手２１の通常の縦の長さである５５ｍｍに対して、過不足がない。
【００３２】
横方向は、通常は１５ｍｍ〜「障子の縦框の全幅」、好ましくは１７ｍｍ〜３５ｍｍ、特に好ましくは２０ｍｍ〜３０ｍｍである。
上記長さであると、引手２１の通常の横の長さ（幅）である１３ｍｍと縦框の縁からの距離に対して、過不足がない。
なお、横方向に長く、内障子の縦框１５を左から右に貫通している切り込み２２の形状は、排除はされないが、内障子１３の障子紙がその貫通部分に貼られないため、その部分で障子紙がひらひらしたり、その部分から風が入ったりするので、貫通していないことが好ましい。
【００３３】
切り込み２２の縦框の側面１７での開口部の大きさは、特に限定はないが、縦方向は、上記した奥面での開口部２５の大きさと同程度が好ましい。
手前から奥にかけての横方向の大きさは、特に限定はないが、好ましくは１３ｍｍ〜３０ｍｍ、特に好ましくは１５ｍｍ〜２０ｍｍである。長過ぎると、外観を損ねたり、縦框１５の強度が弱くなったりする場合がある。
【００３４】
本発明においては、上記内障子の縦框１５の切り込み２２が、該内障子１３の手前からは見え難いように、縦框の側面１７から奥面１６にかけて設けられていることが好ましい。
例えば、図２では、内障子の縦框の側面１７から奥面１６にかけて切り込み２２が設けられており、前面１８には設けられていない。
【００３５】
このように切り込み２２を入れることによって、障子を正面から（内側から）、すなわち部屋側から見たときに、切り込み２２が見えず、外観を損ねることがなく、伝統的な障子の形状を外観上保つことができる。
また、通常、外障子１２を全開の状態から閉め始めようとする人は、外障子１２の閉まるであろう開口場所に立つので、その場所からは、切り込み２２を通して引手２１が見え易く、手指を差し入れ易いという効果がある。
【００３６】
上記内障子の縦框１５に設けられる切り込みの形状は、外障子１２の引手２１に手指を差し入れ易いようになっていれば特に問題はないが、縦方向に均一に略楕円柱側面状に設けられている形状（図３に一例を示す）、縦方向に均一に、略三角柱、略四角柱等の略角柱側面状に設けられている形状（図示せず）、切り込みの内部から外部に向かって広がっているような略楕円球面状に設けられている形状（図２及び図４に一例を示す）等が好ましい。切り込みの形状は、特に限定はないが、縦長であることが、手指を差し入れ易いために好ましい。
【００３７】
図３に、縦方向に均一に略楕円柱側面状に設けられている切り込み２３の一例を示す。図３（ａ）は、外障子１２がない状態（外障子とは重ならない状態）で、外障子１２側から、すなわち外側から内障子の縦框１５に設けられた切り込み２３部分を見た斜視図であり、図３（ｂ）は、縦框１５を切り込み２３の略真中で切ったＡ−Ａ矢視横断面図である。
切り込みが、略楕円柱側面状に設けられていると、手指を切り込み２３の中に差し込むと、自然に手指が、切り込み２３の壁である略楕円柱の側面に沿って奥方向（外障子１２側）に曲がり、外障子１２の引手２１に差し入り易い。また、外観上も好ましい。
【００３８】
図４に、内障子の縦框１５の切り込みが、該切り込みの内部から外部に向かって広がっているような略楕円球面状に設けられている切り込み２４の一例を示す。図４（ａ）は、外障子１２がない状態（外障子とは重ならない状態）で、外障子１２側から、すなわち外側から内障子の縦框１５に設けられた切り込み部分を見た斜視図であり、図４（ｂ）は、縦框１５を切り込み２４の略真中で切ったＢ−Ｂ矢視横断面図である。
この場合の切り込み２４の形状は、略楕円球の長径又は短径を含まない形状で、長径に平行に切り取った形状が特に好ましい。略楕円球の長径又は短径を含まない形状であると、切り込み２４の内部から外部に向かって広がっているような形状になり、手指を差し入れ易くなる。切り込み２４の形状は、特に限定はないが、縦長であることが、手指を差し入れ易いために好ましい。
【００３９】
切り込みが、このような形状で設けられていると、手指を切り込み２４の中に差し込むと、自然に手指が、切り込み２４の壁である略楕円球面の側面に沿って奥方向（外障子１２側）に曲がり、外障子１２の引手２１に差し入り易い。また、縦方向も、自然に手指が、切り込み２４の壁である略楕円球面の側面に沿って引手２１の真ん中に向かって曲がり、外障子１２の引手２１にちょうど差し入れ易い。また、外観上も極めて美しく特に好ましい。
【００４０】
本発明においては、図５に示すように、内障子の縦框１５の切り込み２２が、該縦框１５の前面１８から奥面１６に向かって該縦框１５を貫通して設けられていることも好ましい。図５（ａ）は、外障子１２がない状態（外障子とは重ならない状態）で、外障子１２側から、すなわち外側から内障子の縦框１５に設けられた切り込み２２部分を見た斜視図であり、図５（ｂ）は、縦框１５を切り込み２２の略真中で切ったＣ−Ｃ矢視横断面図である。
図５は、曲面で貫通している場合であるが、平面で貫通していてもよい。
貫通していると、外観は通常の障子の縦框１５とは異なってしまうが、外障子１２の引手２１に手指をより容易に差し入れられるようになる。
【００４１】
本発明においては、図６に示したように、引手２１が、引手全体として、外障子の縦框１４の窪んだ部分に設けられ、全開にした際、該外障子１２の引手２１に手指を差し入れ易いように、該引手２１の手前部分の該外障子の縦框１４の部分に空間２６を設けてなる前記建具１１も更に好ましい。
【００４２】
縦框１４に凹状に設けられた引手２１が、引手全体として窪んだ部分に設けられていれば、すなわち、該引手２１の手前部分の外障子の縦框１４の部分に空間２６を作れば、その空間２６にも手指が差し入れられ、更に、より手指を引手２１に差し入れ易くなる。
また、内障子１３の「切り込み部分」と、外障子１２の上記空間２６との合体された空間に手指が差し入れられるようになるので、その分、内障子の縦框１５に設けられる切り込み２２の体積を小さくでき、特に奥行きを薄くでき、従って内障子の縦框１５が該切り込み２２によって強度的に劣ることがない。
すなわち、内障子の縦框１５と外障子の縦框１４とで、縦框の部分的な細りを分担できるので、縦框の強度が劣ることがない。
【００４３】
近年、障子という建具が、「網戸、アルミサッシ等のサッシ、雨戸等の外側窓枠３１が設けられた構造の窓（出入り可能な掃き出し窓も含む）等」（外側窓枠）の内側に設けられている場合が多い。この場合、該建具１１は、外側窓枠３１に近接して内設される。
本発明の建具は、外側窓枠３１に近接して内設されている場合に、前記した本発明の効果を特に有効に奏するので好ましい。
【００４４】
すなわち、図１（ｂ）に示したように、外側窓枠３１がある場合には、障子を全開にした際に、外障子１２と内障子１３との間だけではなく、外障子１２と外側窓枠３１との間にも手指を挿入し難くなり、すなわち、外障子の縦框１４を手指で摘まめなくなり、極めて外障子１２が閉め難くなる。
本発明の建具は、外側窓枠３１がある場合であっても、かかる問題点が解決されて、簡便に、効率的に、容易に、隙間に指を挿入する必要もなく、外障子の縦框１４を手指で摘まむ必要もなく、指に力をいれる必要もなく、外障子１２を全開の状態から閉め始めることが可能となる。
【産業上の利用可能性】
【００４５】
本発明の建具１１は、外障子１２の開閉がし易く、全開の状態から外障子１２を閉め始めることが容易になるため、障子が用いられるあらゆる建築物等に広く利用されるものである。また、既存の内障子１３の改良のためにも利用されるものである。
【符号の説明】
【００４６】
１１    建具
１２    外障子
１３    内障子
１４    外障子の縦框
１５    内障子の縦框
１６    縦框の奥面
１７    縦框の側面
１８    縦框の前面
２１    引手
２２    切り込み
２３    略楕円柱側面状の切り込み
２４    略楕円球面状の切り込み
２５    切り込みの奥面での開口部
２６    引手の手前の空間
３１    外側窓枠
３２    外側窓枠の鍵
【図２】
2015071889.tif 000003
【図３】
2015071889.tif 000004
【図４】
2015071889.tif 000005
【図５】
2015071889.tif 000006
【図６】
2015071889.tif 000007
【図７】
2015071889.tif 000008
【図１】
2015071889.tif 000009
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
内障子と、縦框に凹状に設けられた引手を有する外障子とから構成される建具であって、全開にした際、該内障子と該外障子とが引き合わされて、該外障子の縦框と該内障子の縦框とが重なり合ったときに、該外障子の引手に手指を差し入れ易いように、該引手の手前部分に位置する該内障子の縦框の部分に切り込みを設けてなり、
該切り込みは、該内障子の手前からは見え難いように、該縦框の側面から奥面にかけて設けられており、
該切り込みは、該切り込み内部から外部に向かって広がっているような略楕円球面状であり、手指を該切り込みの中に差し込むと、自然に該手指が該切り込みの壁である略楕円球面の側面に沿って該外障子の引手の真ん中に向かって曲がるような形状となっている
ことを特徴とする建具。
【請求項２】
上記内障子の縦框の切り込みの、縦框の奥面での開口部が、上記外障子の引手の形状と略同形又は該引手の形状より大きい形状である請求項１に記載の建具。
【請求項３】
上記内障子の縦框の切り込みの形状は、略楕円球の長径又は短径を含まない形状で、長径に平行に切り取った形状である請求項１又は請求項２に記載の建具。
【請求項４】
上記内障子の縦框の切り込みの形状は縦長である請求項１ないし請求項３の何れかの請求項に記載の建具。
【請求項５】
上記引手が、引手全体として、上記外障子の縦框の窪んだ部分に設けられ、全開にした際、該外障子の引手に手指を差し入れ易いように、該引手の手前の外障子の縦框の部分に空間を設けてなる請求項１ないし請求項４の何れかの請求項に記載の建具。
【請求項６】
外側窓枠に近接して内設される請求項１ないし請求項５の何れかの請求項に記載の建具。
【請求項７】
既存の建具の内障子の縦框の部分に切り込みを設けることにより、請求項１ないし請求項６の何れかの請求項に記載の建具に改良することを特徴とする建具の改良方法。
【手続補正２】
【補正対象書類名】明細書
【補正対象項目名】０００６
【補正方法】変更
【補正の内容】
【０００６】
このことを解決するために、図７に示したように、障子を全開にしたときに、外障子の縦框と内障子の縦框との間に、引き残し（出寸法）をもたせるように工夫して、該引き残し部分を利用して（該引き残し部分から）、外障子の引手に手指を差し入れる方法が知られている。
しかしながら、この方法だと、全開にした際の有効開口横寸法が該引き残し分狭くなるという問題点があった。
また、障子を全開にした際に、該引き残しが邪魔をして、その外側にある、網戸、アルミサッシ等のサッシ、雨戸等の外側窓枠自体、又は、該外側窓の枠に設けられた鍵等に指が掛かり難く、外側窓枠を開け難い、該外側窓の鍵を開け難い等という問題点もあった。
【手続補正３】
【補正対象書類名】明細書
【補正対象項目名】００１６
【補正方法】変更
【補正の内容】
【００１６】
前記したような（図７に示したような）建具に見られるように、全開にした際の有効開口横寸法が、該引き残し（出寸法）分狭くなるという問題点もなく、更に、全開にした際に、該引き残し部分が邪魔をして、外側の「網戸、アルミサッシ等のサッシ、雨戸等の外側窓枠、又は、該外側窓の枠に設けられた鍵」等を操作し難いという問題点もない。